(57)【特許請求の範囲】
【請求項１】
複数のビデオデータが記録されている記録媒体より所定のビデオデータを再生する再生手段と、
スキップまたはタイムサーチを指示する指示信号が入力される指示信号入力手段と、
第１のビデオデータを再生している状態で上記指示信号入力手段に上記指示信号が入力されるとき、上記第１のビデオデータの再生を停止し、該第１のビデオデータとは異なる第２のビデオデータを再生し、上記スキップまたは上記タイムサーチが終了するとき、上記第１のビデオデータの再生を再開するように上記再生手段を制御する制御手段と
を備えることを特徴とする記録媒体再生装置。
【請求項２】
上記記録媒体には、上記第１のビデオデータの記録区間内の一部区間に上記第２のビデオデータが並行して記録されており、
上記制御手段は、
上記指示信号入力手段に上記指示信号が入力されるとき、上記一部区間内の記録位置を現在位置として再生している場合、該現在位置の近傍から上記第２のビデオデータを再生するように上記再生手段を制御する
ことを特徴とする請求項１に記載の記録媒体再生装置。
【請求項３】
上記第１のビデオデータが記録された上記記録媒体の記録区間が複数の記録区間に分割され、各分割記録区間に対応した上記第２のビデオデータの記録位置の情報が格納される記憶手段をさらに備え、
上記制御手段は、
上記指示信号入力手段に上記指示信号が入力されるとき、上記記録媒体の所定の記録位置を現在位置として再生している場合、上記記憶手段に格納されている情報に基づいて、上記現在位置に対応した上記第２のビデオデータを再生するように上記再生手段を制御する
ことを特徴とする請求項１に記載の記録媒体再生装置。
【請求項４】
上記第２のビデオデータは、コマーシャル画像を表示するためのビデオデータである
ことを特徴とする請求項１に記載の記録媒体再生装置。
【請求項５】
上記第２のビデオデータは、静止画像を表示するためのビデオデータである
ことを特徴とする請求項１に記載の記録媒体再生装置。
【請求項６】
複数のビデオデータが記録されている記録媒体より所定のビデオデータを再生する記録媒体再生方法であって、
第１のビデオデータを再生している状態でスキップまたはタイムサーチの指示があるとき、上記第１のビデオデータの再生を停止し、該第１のビデオデータとは異なる第２のビデオデータを再生し、
その後、上記スキップまたは上記タイムサーチが終了するとき、上記第１のビデオデータの再生を再開する
ことを特徴とする記録媒体再生方法。
【発明の詳細な説明】
【０００１】
【発明の属する技術分野】
この発明は、例えばＤＶＤ(Digital Versatile Disc)を取り扱うＤＶＤプレーヤに適用して好適な記録媒体再生装置および記録媒体再生方法に関する。詳しくは、第１のビデオデータを再生している状態でスキップまたはタイムサーチが指示されるとき、第２のビデオデータを再生し、スキップまたはタイムサーチが終了するとき、第１のビデオデータの再生を再開する構成とすることによって、スキップ中またはタイムサーチ中の時間を有効に使用可能とした記録媒体再生装置等に係るものである。
【０００２】
【従来の技術】
近年、ＤＶＤを取り扱うＤＶＤプレーヤが普及しつつある。ＤＶＤには、ビデオデータがＭＰＥＧ２(Moving Picture Experts Group 2)を使って圧縮して記憶されていると共に、オーディオデータがＡＣ３やＭＰＥＧ２オーディオを使って圧縮して記憶されている。そのため、ＤＶＤプレーヤは、ＤＶＤより、高品質の画像や音声を長時間にわたって再生できる。
【０００３】
【発明が解決しようとする課題】
ＤＶＤプレーヤを再生状態として再生画像を見ている場合に、ユーザは再生画像を飛ばして見ることがある。この場合、ユーザは、スキップ操作あるいはタイムサーチ操作をする。スキップ操作をすることで、次のチャプターまで再生画像を飛ばすことができる。また、タイムサーチ操作をすることで、設定された時間まで再生画像を飛ばすことができる。
【０００４】
従来、このようにスキップあるいはタイムサーチの操作があり、スキップあるいはタイムーサーチが完了するまでの時間は、例えばそれらの操作前の再生画像に係る静止画像の表示が行われる。この時間は、ユーザにとって、無駄な時間となる。
そこで、この発明では、スキップ中またはタイムサーチ中の時間を有効に使用し得る記録媒体再生装置等を提供することを目的とする。
【０００５】
【課題を解決するための手段】
この発明に係る記録媒体再生装置は、複数のビデオデータが記録されている記録媒体より所定のビデオデータを再生する再生手段と、スキップまたはタイムサーチを指示する指示信号が入力される指示信号入力手段と、第１のビデオデータを再生している状態で指示信号入力手段に上記指示信号が入力されるとき、第１のビデオデータの再生を停止し、その第１のビデオデータとは異なる第２のビデオデータを再生し、スキップまたはサーチが終了するとき、第１のビデオデータの再生を再開するように再生手段を制御する制御手段とを備えるものである。
【０００６】
この発明に係る記録媒体再生方法は、複数のビデオデータが記録されている記録媒体より所定のビデオデータを再生する記録媒体再生方法であって、第１のビデオデータを再生している状態でスキップまたはタイムサーチの指示があるとき、第１のビデオデータの再生を停止し、この第１のビデオデータとは異なる第２のビデオデータを再生し、その後、スキップまたはタイムサーチが終了するとき、第１のビデオデータの再生を再開するものである。
【０００７】
この発明において、第１のビデオデータを再生している状態で、スキップまたはタイムサーチが指示されるとき、この第１のビデオデータの再生が停止され、この第１のビデオデータとは異なる第２のビデオデータが開始される。例えば、第１のビデオデータはコンテンツ本編のビデオデータであり、第２のビデオデータはコマーシャル画像を表示するためのビデオデータである。
【０００８】
第２のビデオデータとしては、コマーシャル画像を表示するためのビデオデータに限定されない。例えば、第１のビデオデータを捕捉するビデオデータ等、第１のビデオデータに関連したビデオデータが考えられる。また、第２のビデオデータは、スキップ中やタイムサーチ中の時間が短いことから、例えば静止画を表示するためのビデオデータである。
【０００９】
例えば、記録媒体には、第１のビデオデータの記録区間内の一部区間に第２のビデオデータが並行して記録されており、スキップまたはタイムサーチが指示されるとき、上記一部区間内の記録位置を現在位置として再生している場合、その現在位置の近傍から第２のビデオデータが再生される。この場合、第２のビデオデータの再生開始位置をサーチする必要がなく、直ちに第２のビデオデータを再生することが可能となる。
【００１０】
例えば、記録媒体がＤＶＤである場合、第２のビデオデータは、マルチアングル領域における所定のアングル部分に記録される。この場合、マルチアングル領域には、第１のビデオデータと第２のビデオデータとが並行して記録されていることとなる。
【００１１】
また例えば、第１のビデオデータが記録された記録媒体の記録区間が複数の記録区間に分割され、各分割記録区間に対応した第２のビデオデータの記録位置の情報が記憶手段に格納される場合、指示信号入力時に再生されていた記録媒体の記録位置を現在位置とし、記憶手段に記憶されている情報に基づいて、現在位置に対応した第２のビデオデータが再生される。この場合、スキップ操作またはタイムサーチ操作が行われた記録位置近傍に記録されている第１のビデオデータに関連している第２のビデオデータを再生することが可能となる。
【００１２】
このように第２のビデオデータが再生されることで、ユーザは、第２のビデオデータによる画像を見ることができる。この状態で、スキップまたはタイムサーチが終了したときは、第１のビデオデータの再生が再開される。
【００１３】
第１のビデオデータを再生している状態でスキップまたはタイムサーチが指示されるとき、第２のビデオデータが再生され、スキップまたはタイムサーチが終了するとき、第１のビデオデータの再生が再開される。これにより、ユーザは、スキップ中あるいはタイムサーチ中の時間に、第２のビデオデータによる画像（コマーシャル画像等）を見ることができ、時間を有効に使用できる。
【００１４】
【発明の実施の形態】
以下、図面を参照しながら、この発明の実施の形態について説明する。図１は、インターネット機能を有するＤＶＤプレーヤ１００の構成を示している。
このＤＶＤプレーヤ１００で取り扱うＤＶＤ１０１には、所定数のマルチアングル領域ＴＭＡが設定されている。図２は、このマルチアングル領域ＴＭＡに記録されているビデオデータを模式的に表したものである。ここでは、マルチアングル領域ＴＭＡには３アングル分の領域が設けられている。
【００１５】
この３アングル分の領域のうち、２アングル分の領域に関しては、コンテンツ本編のビデオデータを構成する２アングル分のビデオデータが記録され、本来の用途で使用されるが、残りの１アングル分の領域に関しては、コンテンツ本編のビデオデータとは異なる、コマーシャル画像を表示するための複数の静止画用ビデオデータｊ１〜ｊｍが記録されている。
【００１６】
また、このＤＶＤプレーヤ１００で取り扱うＤＶＤ１０１のメニュー領域には、図３に示すように、上述したようにマルチアングル領域ＴＭＡに記録されている静止画用ビデオデータｊ１〜ｊｍのそれぞれと関連づけて、対応するＵＲＬ（Uniform Resource Locator)の情報がテーブル情報として記録されている。このようにＤＶＤ１０１のメニュー領域に記録されているテーブル情報は、ＤＶＤ１０１をＤＶＤプレーヤ１００に装着した際にメニュー領域から再生され、例えば後述するシステムコントローラ１０５内のメモリに格納される。
【００１７】
図１に戻って、ＤＶＤプレーヤ１００は、マイクロコンピュータを備えてなり、プレーヤ全体の動作を制御するシステムコントローラ１０５を有している。このシステムコントローラ１０５には、例えば液晶表示素子を用いて構成され、プレーヤの動作状態等を表示する表示部１１８と、ユーザ操作のための種々の操作ボタン等が配された操作部１１９とが接続されている。この操作部１１９には、スキップ操作ああるいはタイムサーチ操作を行うための操作ボタン、マルチアングル領域で再生されるアングルを順次変更するためのマルチアングルボタン、インターネットへの接続を操作するインターネットボタン等も含まれている。
【００１８】
また、ＤＶＤプレーヤ１００は、ＤＶＤ１０１を回転駆動するためのスピンドルモータ１０２と、半導体レーザ、対物レンズ、光検出器等から構成される光ピックアップ１０３と、この光ピックアップ１０３をＤＶＤ１０１の半径方向（ラジアル方向）に移動させるための送りモータ１０４とを有している。この場合、光ピックアップ１０３を構成する半導体レーザからのレーザビームがＤＶＤ１０１の記録面に照射され、その反射光が光ピックアップ１０３を構成する複数の光検出器（４分割フォトディテクタ）に照射される。
【００１９】
また、サーボ制御回路１０６を有している。サーボ制御回路１０６によって、光ピックアップ１０３におけるトラッキングやフォーカスが制御され、また送りモータ１０４の動作が制御される。さらに、サーボ制御回路１０６によってスピンドルモータ１０２の回転が制御され、ＤＶＤ１０１の再生時には、このＤＶＤ１０１がＣＬＶ(Constant Linear Velocity)で回転駆動される。
【００２０】
また、ＤＶＤプレーヤ１００は、光ピックアップ１０３の複数の光検出器の出力信号を演算増幅して、再生ＲＦ信号、非点収差方式によるフォーカスエラー信号、位相差方式によるトラッキングエラー信号を作成するＲＦアンプ部１０７を有している。このＲＦアンプ部１０７で作成されるフォーカスエラー信号およびトラッキングエラー信号はサーボ制御回路１０６に供給され、サーボ制御回路１０６では、これらのエラー信号を用いて、上述したように光ピックアップ１０３におけるトラッキングやフォーカスを制御する。なお、このＲＦアンプ部１０７は、光ピックアップ１０３を構成する半導体レーザのパワー制御機能も備えている。
【００２１】
また、ＤＶＤプレーヤ１００は、ＲＦアンプ部１０７で作成された再生ＲＦ信号の２値化スライス、その後のＰＬＬ(Phase-Locked Loop)による同期データの生成等、一連のアナログ信号処理を行うリードチャネル部１０８を有している。なお、このリードチャネル部１０８は、ＣＬＶ制御信号の生成などの機能も備えている。このＣＬＶ制御信号はサーボ制御回路１０６に供給され、サーボ制御回路１０６では、このＣＬＶ制御信号を用いて、上述したようにスピンドルモータ１０２の回転を制御する。
【００２２】
また、ＤＶＤプレーヤ１００は、リードチャネル部１０８で生成された同期データ（８／１６変調データ）の復調、その後の誤り訂正等の処理を行う復調／ＥＣＣ部１０９と、ＲＡＭ１１０をバッファメモリとして使用し、復調／ＥＣＣ部１０９の出力データを後段の処理回路が要求するデータレートで出力するＶＢＲ(Variable Bit Rate）制御部１１１とを有している。このＶＢＲ制御部１１１までが、フロントエンドを構成している。
【００２３】
また、ＤＶＤプレーヤ１００は、ＤＶＤ処理機能およびインターネット処理機能を備える集積回路１２０を有している。ここで、ＤＶＤ処理機能は、ＤＶＤ１０１の再生データを処理する機能である。一方、インターネット処理機能は、後述するインターネットに接続された通信回線で取得された情報（インターネット情報）を処理する機能である。
【００２４】
集積回路１２０の構成を説明する。この集積回路１２０は、集積回路内の各回路の動作を制御するＣＰＵ(Central Processing Unit)１２１を有している。このＣＰＵ１２１は、内部バス１２２に接続されていると共に、上述したシステムコントローラとしてのＣＰＵ１０５と通信可能に接続されている。
【００２５】
また、集積回路１２０は、ＶＢＲ制御部１１１より出力されるデータストリームにかけられているコピーガードのためのスクランブルを解除するデスクランブラ１２３と、このデスクランブラ１２３でスクランブルが解除されたデータストリームより、ビデオデータ、オーディオデータ、サブピクチャデータ等を分離するデマルチプレクサ１２４を有している。
【００２６】
また、集積回路１２０は、上述したＤＶＤ１０１の再生データを処理するための動作プログラムやインターネット情報を処理（デコード処理、ブラウジング処理等）するための動作プログラムが格納されたＲＯＭ(Read Only Memory)１１２を外付けするためのＲＯＭインタフェース１２５と、ＣＰＵ１２１の制御に伴って生成されるデータを格納したり、ワーキングエリアとして用いられるＲＡＭ(Random Access Memory)１１３を外付けするためのＲＡＭインタフェース１２６と、電話回線を介してインターネットに接続するためのモデム１１４を外付けするためのモデムインタフェース１２７とを有している。インタフェース１２５，１２６，１２７はそれぞれ内部バス１２２に接続されている。
【００２７】
また、集積回路１２０は、ＤＶＤ処理モード時に、デマルチプレクサ１２４より得られる圧縮ビデオデータ（ＭＰＥＧ２ビデオデータ）に対して伸長処理等を行ったり、インターネット処理モード時に、インターネット情報を処理して所定ＷｅｂサイトのＷｅｂページを表示するためのビデオデータを得る処理等を行うビデオプロセッサ１２９を有している。このビデオプロセッサ１２９は内部バス１２２に接続されている。なお、インターネット情報を処理して所定ＷｅｂサイトのＷｅｂページを表示するためのビデオデータを得る処理の一部または全部がＣＰＵ１２１で行われるようにしてもよい。
【００２８】
また、集積回路１２０は、ＤＶＤ処理モード時に、デマルチプレクサ１２４より得られるサブピクチャデータを処理して字幕等を表示するための表示データを得るためのサブピクチャデコーダ１３０と、上述したビデオプロセッサ１２９より出力されるビデオデータにサブピクチャデコーダ１３０より出力される表示データを合成する合成器１３１と、この合成器１３１より出力されるビデオデータを使用して例えばＮＴＳＣ方式の映像データを生成し、その後この映像データをアナログ信号に変換して映像信号ＳＶを得、この映像信号ＳＶを外部のビデオ出力端子１１５に出力するＴＶエンコーダ／ＤＡＣ１３２を有している。ビデオプロセッサ１２９およびサブピクチャデコーダ１３０は、それぞれ内部バス１２２に接続されている。
【００２９】
また、集積回路１２０は、ＯＳＤ(On Screen Display)回路１３３を有している。このＯＳＤ回路１３３より出力される表示データはＴＶエンコーダ／ＤＡＣ１３２に供給され、合成器１３１からのビデオデータに合成される。これにより、ＯＳＤ回路１３３より出力される表示データによるＯＳＤ表示が可能となっている。このＯＳＤ回路１３３は内部バス１２２に接続され、その動作はＣＰＵ１２１によって制御される。
【００３０】
また、集積回路１２０は、ＤＶＤ処理モード時に、デマルチプレクサ１２４より得られるオーディオデータ（ＡＣ−３データ、ＭＰＥＧ２オーディオデータ等）に対して伸長処理等を行ったり、インターネット処理モード時に、インターネット情報を処理して所定ＷｅｂサイトのＷｅｂページに係るオーディオデータを得、このオーディオデータを外部のＤ／Ａコンバータ１１６に供給するオーディオプロセッサ１３４を有している。なお、インターネット情報に係るオーディオデータを得る処理の一部または全部がＣＰＵ１２１で行われるようにしてもよい。Ｄ／Ａコンバータ１１６より出力されるアナログの音声信号ＳＡはオーディオ出力端子１１７に出力される。
【００３１】
図１に示すＤＶＤプレーヤ１００の動作を説明する。
ユーザの操作部１１９の操作によってＤＶＤ再生が指示された場合について述べる。その場合、システムコントローラ１０５より集積回路１２０のＣＰＵ１２１にＤＶＤ再生の情報が供給され、集積回路１２０はＤＶＤ処理モードとなる。
【００３２】
この場合、サーボ制御回路１０６の制御によってスピンドルモータ１０２の回転が開始され、ＤＶＤ１０１がＣＬＶで回転駆動され、再生が開始される。このＤＶＤ１０１の再生状態でＲＦアンプ部１０７より得られる再生ＲＦ信号はリードチャネル部１０８に供給され、このリードチャネル部１０８で２値化スライス処理、ＰＬＬによる同期データの生成処理等が行われる。リードチャネル部１０８より出力される同期データは復調／ＥＣＣ部１０９に供給され、この復調／ＥＣＣ部１０９で復調処理および誤り訂正処理が行われる。そして、この復調／ＥＣＣ部１０９からのデータストリームが、ＶＢＲ制御部１１１を通じて、所定のデータレートで集積回路１２０のデスクランブラ１２３に供給される。
【００３３】
デスクランブラ１２３ではデータストリームにかけられているスクランブルが解除され、スクランブルが解除されたデータストリームはデマルチプレクサ１２４に供給される。このデマルチプレクサ１２４では、データストリームより、ビデオデータ、オーディオデータ、サブピクチャデータ等の分離が行われる。
【００３４】
そして、デマルチプレクサ１２４で分離されたビデオデータ（ＭＰＥＧ２ビデオデータ）はビデオプロセッサ１２９に供給されて伸長処理が施される。そして、このビデオプロセッサ１２９より出力されるビデオデータが合成器１３１を介してＴＶエンコーダ／ＤＡＣ１３２に供給され、ビデオ出力端子１１５には例えばＤＶＤ１０１の再生信号に係るＮＴＳＣ方式の映像信号ＳＶが出力される。この映像信号ＳＶをモニタ（図示せず）に供給することで、モニタに再生画像が表示される。
【００３５】
なお、ＤＶＤ１０１の現在再生している記録位置を現在位置とし、この現在位置がマルチアングル領域にある場合、モニタの画面にマルチアングル領域にある旨の表示が文字または図形によって表示される。この場合、ＯＳＤ回路１３３からその表示を行うための表示データがＴＶエンコーダ／ＤＡＣ１３２に供給され、合成器１３１からのビデオデータに合成される。この表示によって、ユーザは現在位置がマルチアングル領域にあることを知ることができる。そして、ユーザは、操作部１１９のマルチアングルボタンの押し下げをして、再生されるアングルを順に変更できる。
【００３６】
本実施の形態においては、マルチアングル領域ＴＭＡには、コンテンツ本編のビデオデータとして、アングル１、アングル２のビデオデータが存在する（図２参照）。したがって、マルチアングルボタンの押し下げにより、アングル１→アングル２→アングル１→・・・のように順次アングルを変更できる。
【００３７】
また、デマルチプレクサ１２４で分離されたサブピクチャデータはサブピクチャデコーダ１３０に供給される。そして、ユーザの操作部１１９の操作に基づいて、このサブピクチャデコーダ１３０でデコード処理が行われ、字幕等を表示するための表示データが作成される。この表示データは合成器１３１でビデオプロセッサ１２９からのビデオデータに合成されるので、上述した再生画像に字幕等が重ねて表示される。
【００３８】
また、デマルチプレクサ１２４で分離されたオーディオデータ（ＡＣ−３データ等）はオーディオプロセッサ１３４に供給されて処理される。そして、このオーディオプロセッサ１３４より出力されるオーディオデータが外部のＤ／Ａコンバータ１１６に供給されてアナログ音声信号ＳＡとされ、この音声信号ＳＡがオーディオ出力端子１１７に出力される。この音声信号ＳＡを増幅してスピーカ（図示せず）に供給することで、再生音声（ＤＶＤ音声）が出力される。
【００３９】
次に、ユーザの操作部１１９の操作によってインターネット接続が指示された場合について述べる。その場合、システムコントローラ１０５より集積回路１２０のＣＰＵ１２１にインターネット接続の情報が供給され、集積回路１２０はインターネット処理モードとなる。
【００４０】
この場合、集積回路１２０のＣＰＵ１２１は、ブラウザを起動すると共に、モデム１１４よりダイヤルアップしてインターネットの接続サービスを提供する所定のプロバイダ（ＩＳＰ：Internet Service Provider）との回線を接続する。そして、インターネットの設定されたＵＲＬ(Uniform Resource Locator)のＷｅｂサイトにアクセスする。これにより、当該Ｗｅｂサイトに係るＷｅｂページの情報がダウンロードされてモデム１１４よりＣＰＵ１２１に供給される。
【００４１】
このダウンロードされた情報がＣＰＵ１２１やビデオプロセッサ１２９で処理され、所定ＷｅｂサイトのＷｅｂページを表示するためのビデオデータが得られる。このビデオデータはビデオプロセッサ１２９より出力され、合成器１３１を介してＴＶエンコーダ／ＤＡＣ１３２に供給され、ビデオ出力端子１１５には所定ＷｅｂサイトのＷｅｂページに係るＮＴＳＣ方式の映像信号ＳＶが出力される。この映像信号ＳＶをモニタ（図示せず）に供給することで、モニタに所定ＷｅｂサイトのＷｅｂページに係る画像が表示される。
【００４２】
また、ダウンロードされた情報に音声情報があるときは、ＣＰＵ１２１やオーディオプロセッサ１３４で処理され、所定ＷｅｂサイトのＷｅｂページに係るオーディオデータが得られる。このオーディオデータはオーディオプロセッサ１３４より出力され、Ｄ／Ａコンバータ１１６でアナログ音声信号ＳＡとされて、オーディオ出力端子１１７に出力される。この音声信号ＳＡを増幅してスピーカ（図示せず）に供給することで、所定ＷｅｂサイトのＷｅｂページに係る音声（インターネット音声）が出力される。
【００４３】
次に、ＤＶＤ１０１が再生されている状態で、操作部１１９によってスキップ操作またはタイムサーチ操作があった場合のシステムコントローラ１０５の制御動作を、図４のフローチャートを使用して説明する。
【００４４】
ステップＳＴ１で、スキップ操作またはタイムサーチ操作があると、ステップＳＴ２で、ＤＶＤ１０１の現在再生されている記録位置を現在位置とし、その現在位置がマルチアングル領域にあるか否かを判定する。マルチアングル領域にないときは、ステップＳＴ３で、ＤＶＤ１０１の再生（コンテンツ本編の再生）を停止し、ステップＳＴ４で、静止画の出力を開始する。この場合、ビデオプロセッサ１２９から、再生停止直前の１フレーム分のビデオデータが繰り返し出力される状態となる。
【００４５】
そして、ステップＳＴ５で、スキップまたはタイムサーチの処理を開始し、ステップＳＴ６で、スキップまたはタイムサーチが終了したか否かを判定する。終了したときは、ステップＳＴ７で、スキップされた記録位置またはタイムサーチされた記録位置から、ＤＶＤ１０１の再生（コンテンツ本編の再生）を再開し、ステップＳＴ８で、スキップ操作またはタイムサーチ操作が行われることに伴う制御動作を終了する。
【００４６】
また、ステップＳＴ２で、現在位置がマルチアングル領域ＴＭＡにあるときは、ステップＳＴ９で、ＤＶＤ１０１の再生（コンテンツ本編の再生）を停止し、ステップＳＴ１０で、マルチアングル領域のアングル３の領域のその現在位置から直ちにコマーシャル画像を表示するための静止画用ビデオデータの再生を開始し、静止画によるコマーシャル画像の出力を開始する。この場合、スキップまたはタイムサーチが行われている時間が短いので、例えば３画面分の静止画用ビデオデータ（１フレーム分のビデオデータ）の再生が行われ、ビデオプロセッサ１２９からは、各静止画用ビデオデータが例えば２秒間ずつ順次繰り返し出力される。そして、ビデオ出力端子１１５には、ビデオプロセッサ１２９から出力される各静止画用ビデオデータに対応した映像信号ＳＶが出力される。この映像信号ＳＶをモニタ（図示せず）に供給することで、モニタに３種類のコマーシャル画像（静止画）が２秒間ずつ順次繰り返し表示される。なおこの場合、音声は例えばミューティング状態におかれる。
【００４７】
次に、ステップＳＴ１１で、スキップまたはタイムサーチの処理を開始する。そして、ステップＳＴ１２で、インターネットボタンの押し下げがあるか否かを判定し、このインターネットボタンの押し下げがないときは、ステップＳＴ１３で、スキップまたはタイムサーチが終了したか否かを判定する。終了していないときは、ステップＳＴ１２に戻る。一方、終了したときは、ステップＳＴ７で、スキップされた記録位置またはタイムサーチされた記録位置から、ＤＶＤ１０１の再生（コンテンツ本編の再生）を再開し、ステップＳＴ８で、スキップ操作またはタイムサーチ操作が行われることに伴う制御動作を終了する。
【００４８】
また、ステップＳＴ１２で、インターネットボタンの押し下げがあるときは、ステップＳＴ１４に進む。ユーザがコマーシャル画像を見ていて、インターネットによるオンラインショッピングや詳細データの取得を行いたい場合には、インターネットボタンの押し下げを行う。ステップＳＴ１４では、コマーシャル画像（静止画）の表示を停止する。
【００４９】
次に、ステップＳＴ１５で、集積回路１２０をインターネット接続モードとし、ブラウザを起動すると共に、モデム１１４よりダイヤルアップしてインターネットの接続サービスを提供する所定のプロバイダ（ＩＳＰ：Internet Service Provider）との回線を接続する。そして、ステップＳＴ１６で、システムコントローラ１０５内のメモリに格納されているテーブル情報（図３参照）のうち、表示していたコマーシャル画像（静止画）に対応したＵＲＬを取得し、そのＵＲＬのＷｅｂサイト（対象Ｗｅｂサイト）にアクセスする。
【００５０】
これにより、当該Ｗｅｂサイトに係るＷｅｂページの情報がダウンロードされてモデム１１４よりＣＰＵ１２１に供給される。このダウンロードされた情報がＣＰＵ１２１やビデオプロセッサ１２９で処理され、対象ＷｅｂサイトのＷｅｂページを表示するためのビデオデータが得られる。このビデオデータはビデオプロセッサ１２９より出力され、合成器１３１を介してＴＶエンコーダ／ＤＡＣ１３２に供給され、ビデオ出力端子１１５には対象ＷｅｂサイトのＷｅｂページに係るＮＴＳＣ方式の映像信号ＳＶが出力される。この映像信号ＳＶをモニタ（図示せず）に供給することで、モニタに対象ＷｅｂサイトのＷｅｂページに係る画像が表示される。
【００５１】
次に、ステップＳＴ１７で、ユーザの操作部１１９の操作に基づいて、オンラインショッピングや詳細データの取得等の処理をし、その処理が終了したとき、ステップＳＴ１８で、ブラウザを閉じ、集積回路１２０を再びＤＶＤ再生モードとする。そして、ステップＳＴ１９で、コマーシャル画像（静止画）の表示を再開し、ステップＳＴ１２に戻る。
【００５２】
以上説明したように、図１に示すＤＶＤプレーヤ１００においては、ＤＶＤ１０１の再生（コンテンツ本編の再生）が行われている状態でスキップまたはタイムサーチが指示されるとき、コマーシャル画像を表示するための静止画用ビデオデータが再生され、スキップまたはタイムサーチが終了するとき、ＤＶＤ１０１の再生（コンテンツ本編の再生）が再開される。これにより、ユーザは、スキップ中あるいはタイムサーチ中の時間に、コマーシャル画像（静止画）を見ることができ、時間を有効に使用できる。
【００５３】
また、スキップ操作またはタイムサーチ操作が行われるとき、コンテンツ本編のビデオデータとコマーシャル画像を表示するための静止画用ビデオデータが並行して存在するマルチアングル領域に再生位置があるとき、その再生位置からコマーシャル画像を表示するための静止画用ビデオデータの再生が開始されるものであり、再生開始位置をサーチする必要がなく、直ちにコマーシャル画像を表示するための静止画用ビデオデータの再生を行うことができる。つまり、コンテンツ本編のビデオデータの再生においてアングル変更を行う場合と同様に、シームレスの再生が可能となる。
【００５４】
また、コマーシャル画像の表示状態で、インターネットボタンの押し下げがあるとき、テーブル情報（図３参照）内の対応するＵＲＬの情報を使用して、そのＵＲＬのＷｅｂサイトにアクセスし、そのＷｅｂサイトのＷｅｂページの閲覧状態となるものであり、ユーザは見ていたコマーシャル画像に関連したオンラインショッピングや詳細データの取得を容易に行うことができる。
【００５５】
なお、上述実施の形態においては、スキップ操作またはタイムサーチ操作がなされたとき再生されているＤＶＤ１０１の記録位置（現在位置）がマルチアングル領域にある場合のみ、コマーシャル画像を表示するための静止画用ビデオデータが再生されてコマーシャル画像を見ることができるものであるが、スキップ操作またはタイムサーチ操作がなされたとき再生されているＤＶＤ１０１の記録位置（現在位置）がマルチアングル領域以外にあっても、コマーシャル画像を表示するための静止画用ビデオデータが再生されてコマーシャル画像を見ることができるように構成することもできる。
【００５６】
この場合、ＤＶＤ１０１には、コマーシャル画像を表示するための複数の静止画用ビデオデータｊ１〜ｊｍが、マルチアングル領域、メニュー領域あるいはその他の余っている領域に記録される。また、ＤＶＤ１０１のメニュー領域には、図５に示すように、コンテンツ本編のビデオデータが記録されたＤＶＤ１０１の記録区間が複数の記録区間に分割され、各分割記録区間に対応したビデオデータｊ１〜ｊｍの記録位置の情報がテーブル情報として記録されている。また、このテーブル情報には、静止画用ビデオデータｊ１〜ｊｍのそれぞれと関連づけて、対応するＵＲＬの情報も含まれている。このようにＤＶＤ１０１のメニュー領域に記録されているテーブル情報は、ＤＶＤ１０１をＤＶＤプレーヤ１００に装着した際に再生され、例えば後述するシステムコントローラ１０５内のメモリに格納される。
【００５７】
次に、ＤＶＤ１０１が再生されている状態で、操作部１１９によってスキップ操作またはタイムサーチ操作があった場合のシステムコントローラ１０５の制御動作を、図６のフローチャートを使用して説明する。
【００５８】
ステップＳＴ２１で、スキップ操作またはタイムサーチ操作があると、ステップＳＴ２２で、ＤＶＤ１０１の再生（コンテンツ本編の再生）を停止し、ステップＳＴ２３で、スキップ操作またはタイムサーチ操作がなされたとき再生されているＤＶＤ１０１の記録位置を現在位置とし、システムコントローラ１０５内のメモリに格納されているテーブル情報に基づいて、その現在位置が含まれる記録区間に対応した静止画用ビデオデータを検索し、その静止画用ビデオデータを再生し、静止画によるコマーシャル画像の出力を開始する。なおこの場合、音声は例えばミューティング状態におかれる。
【００５９】
図５に示すテーブル情報では、１つの記録区間に対応する静止画用ビデオデータが１つであるものを示したが、１つの記録区間に複数の静止画用ビデオデータを対応させてあってもよい。その場合には、その複数の静止画用ビデオデータを再生し、複数種類のコマーシャル画像（静止画）を例えば２秒間ずつ順次繰り返し表示するようにする。
【００６０】
次に、ステップＳＴ２４で、スキップまたはタイムサーチの処理を開始する。そして、ステップＳＴ２５で、インターネットボタンの押し下げがあるか否かを判定し、このインターネットボタンの押し下げがないときは、ステップＳＴ２６で、スキップまたはタイムサーチが終了したか否かを判定する。終了していないときは、ステップＳＴ２５に戻る。一方、終了したときは、ステップＳＴ２７で、スキップされた記録位置またはタイムサーチされた記録位置から、ＤＶＤ１０１の再生（コンテンツ本編の再生）を再開し、ステップＳＴ２８で、スキップ操作またはタイムサーチ操作が行われることに伴う制御動作を終了する。
【００６１】
また、ステップＳＴ２５で、インターネットボタンの押し下げがあるときは、ステップＳＴ２９の処理をし、以下ステップＳＴ３０〜ステップＳＴ３４の処理をして、ステップＳＴ２５に戻る。これらステップＳＴ２９〜ステップＳＴ３４の処理は、上述した図４のフローチャートのステップＳＴ１４〜ステップＳＴ１９に対応するものであり、その詳細説明は省略する。
【００６２】
このように、スキップ操作またはタイムサーチ操作がなされたとき再生されているＤＶＤ１０１の記録位置を現在位置とし、その現在位置が含まれる記録区間に対応した静止画用ビデオデータが再生されてコマーシャル画像（静止画）が表示されるものによれば、スキップ操作またはタイムサーチ操作が行われた記録位置近傍に記録されているコンテンツ本編の画像に関連したコマーシャル画像（静止画）を容易に得ることができる。
【００６３】
また、上述実施の形態においては、第２のビデオデータがコマーシャル画像を表示するためのビデオデータであったが、この発明はこれに限定されるものではない。第２のビデオデータは、例えば第１のビデオデータを捕捉するビデオデータ等、第１のビデオデータに関連したビデオデータが考えられる。
【００６４】
また、上述実施の形態においては、この発明をＤＶＤプレーヤ１００に適用したものであるが、ＤＶＤ１０１以外の記録媒体を取り扱う再生装置にも同様に適用することができる。
【００６５】
【発明の効果】
この発明によれば、第１のビデオデータを再生している状態でスキップまたはタイムサーチが指示されるとき、第２のビデオデータを再生し、スキップまたはタイムサーチが終了するとき、第１のビデオデータの再生を再開するものであり、ユーザはスキップ中またはタイムサーチ中の時間を有効に使用できる。
【図面の簡単な説明】
【図１】実施の形態としてのＤＶＤプレーヤの構成を示すブロック図である。
【図２】コマーシャル画像（ＣＭ画像）を表示するための静止画用ビデオデータが記録されたマルチアングル領域のビデオデータを模式的に示す図である。
【図３】ＤＶＤのメニュー領域に記録されているテーブル情報の一例を示す図である。
【図４】スキップ操作時またはタイムサーチ操作時の動作を示すフローチャートである。
【図５】ＤＶＤのメニュー領域に記録されているテーブル情報の他の例を示す図である。
【図６】スキップ操作時またはタイムサーチ操作時の他の動作を示すフローチャートである。
【符号の説明】
１００  ＤＶＤプレーヤ
１０１  ＤＶＤ
１０３  光ピックアップ
１０５  システムコントローラ
１０６  サーボ制御回路
１０７  ＲＦアンプ部
１０８  リードチャネル部
１０９  復調／ＥＣＣ部
１１１  ＶＢＲ制御部
１１２  ＲＯＭ
１１３  ＲＡＭ
１１４  モデム
１１５  ビデオ出力端子
１１７  オーディオ出力端子
１１８  表示部
１１９  操作部
１２０  集積回路
１２１  ＣＰＵ
１２２  内部バス
１２４  デマルチプレクサ
１２９  ビデオプロセッサ
１３２  ＴＶエンコーダ／ＤＡＣ
１３３  ＯＳＤ回路
１３４  オーディオプロセッサ
【図１】
0004507434.tif 000002
【図２】
0004507434.tif 000003
【図３】
0004507434.tif 000004
【図４】
0004507434.tif 000005
【図５】
0004507434.tif 000006
【図６】
0004507434.tif 000007